(57)【要約】【課題】  床板に穿設された貫通孔に挿通させて床板の上部に立ち上げた通水管と、床板の上部に配置された継手部材との接続状態を保持する配管固定具において、継手部材の取付位置や床板の下部の空間の広さに関係なく、管継手及び通水管を確実に覆うことができる配管固定具を提供する。【解決手段】  床板１に穿設された貫通孔２に挿通させて床板１の上部に立ち上げた通水管３と、床板１の上部に配置された継手部材６０との接続状態を保持する配管固定具Ａは、床板１の貫通孔２に固定され且つ前記通水管３を支持するための固定部材Ｂと、前記継手部材６０を保持するとともに前記通水管３の外周を覆う保護部材Ｃとを有し、該保護部材Ｃは固定部材Ｂに対する継手部材６０の取付位置を調節可能な調節手段を床板１の上部に備えた。【選択図】  図１
2006275073.tif 000002
【特許請求の範囲】
【請求項１】
床板に穿設された貫通孔に挿通させて床板の上部に立ち上げた通水管と、床板の上部に配置された継手部材との接続状態を保持する配管固定具は、床板の貫通孔に固定され且つ前記通水管を支持するための固定部材と、前記継手部材を保持するとともに前記通水管の外周を覆う保護部材とを有し、該保護部材は固定部材に対する継手部材の取付位置を調節可能な調節手段を床板の上部に備えたことを特徴とする配管固定具。
【請求項２】
前記調節手段は、固定部材及び保護部材にそれぞれねじを形成し、各ねじを螺合させる構成としたことを特徴とする請求項１記載の配管固定具。
【発明の詳細な説明】
【技術分野】
【０００１】
本発明は、床下空間から床板の貫通孔に挿通させて床板の上部に立ち上げた通水管と、床板の上部に配置された継手部材との接続状態を保持する配管固定具に関するものである。
【背景技術】
【０００２】
一般に集合住宅、戸建住宅等において、洗面台，流し台，浴室，トイレ，洗濯機等の給水器具へ給水，給湯配管の施工を行なう場合、建物の躯体工事の際に水用，湯用の各ヘッダーと給水器具との間で蛇腹状の鞘管をタコ足状に配設しておき、設備工事の際にこの鞘管内に水用，又は湯用の通水管を挿通させ、ヘッダーと給水器具とを通水管により接続する配管工法が行われている。この配管工法により鞘管に通水管を挿通し、通水管を床下空間から床板の上部に立ち上げて床板の上部に配置された継手部材に接続し、この継手部材から給水器具へ水又は湯を供給する構造として公知のものに、特許文献１のものがある。
【０００３】
この特許文献１について簡単に説明すると、床板の貫通孔に挿通させて床下空間から床板の上部に立ち上げた通水管を、床板の上部に配置された継手部材に接続する通水管の床出し構造において、床板に穿設した挿通孔に固定するフランジ部材と、このフランジ部材に穿設した挿孔に装着する支柱とを備えたカバー管を床板に固定し、通水管は支柱に備えた貫通孔に挿通させるとともに、その先端には管継手を介して継手部材を接続したものである。
【特許文献１】特開２００３−１６６２６５号公報
【発明の開示】
【発明が解決しようとする課題】
【０００４】
通常、継手部材の取付位置は、その取付現場毎に異なっているため、特許文献１の通水管の床出し構造では、例えば継手部材の取付位置が床板に近い場合には、カバー管の下端は床板と基礎板との間の空間に位置することになる。このとき、床板と基礎板との間の空間が十分でないと、カバー管の下端が基礎板に当たってしまい、カバー管の取付位置の調節可能な範囲が制限されていた。このため、継手部材の取付位置や床板と基礎床との間の空間の広さよっては、カバー管の取付位置の調節範囲が制限されてしまい、カバー管により管継手及び通水管を確実に覆うことができず、その一部が露出し見栄えが低下していた。
【０００５】
本発明は、このような従来の技術に存在する問題点に着目してなされたものであり、その目的は、床板に穿設された貫通孔に挿通させて床板の上部に立ち上げた通水管と、床板の上部に配置された継手部材との接続状態を保持する配管固定具において、継手部材の取付位置や床板の下部の空間の広さに関係なく、管継手及び通水管を確実に覆うことができる配管固定具を提供することである。
【課題を解決するための手段】
【０００６】
上記目的を達成するため、請求項１に記載の発明は、床板に穿設された貫通孔に挿通させて床板の上部に立ち上げた通水管と、床板の上部に配置された継手部材との接続状態を保持する配管固定具は、床板の貫通孔に固定され且つ前記通水管を支持するための固定部材と、前記継手部材を保持するとともに前記通水管の外周を覆う保護部材とを有し、該保護部材は固定部材に対する継手部材の取付位置を調節可能な調節手段を床板の上部に備えたものである。
【０００７】
請求項２では請求項１記載の発明において、前記調節手段は、固定部材及び保護部材に形成された各ねじを螺合させる構成としたものである。
【発明の効果】
【０００８】
本発明の請求項１では、保護部材は固定部材に対する継手部材の取付位置を調節可能な調節手段を床板の上部に備えているので、継手部材の取付位置が取付現場毎に異なっていても保護部材を上下に移動させることで管継手及び通水管を確実に覆うことができる。また、床板の下部の空間に影響されることなく保護部材の取付位置の調節が行うことができる。そのため、通水管と継手部材との接続箇所の見栄えが低下することがない。
【０００９】
請求項２では、調節手段は、固定部材及び保護部材に形成された各ねじを螺合させる構成としたので、保護部材の取付位置の調節を誰にでも容易に行うことができる。
【発明を実施するための最良の形態】
【００１０】
以下、本発明の実施例を図に基づいて詳細に説明する。
【実施例１】
【００１１】
本発明において、配管固定具Ａは、住宅内で混合水栓等の給水器具が設けられている洗面台，流し台，浴室，トイレ等の近くに配置されるものであり、図１に示すように、床板１に穿設された貫通孔２から上部に立ち上がるように固定される。床板１の下部には図示しないヘッダーから通水管３が貫通孔２を挿通して床板１の上部に立ち上げられる。また、通水管３の先端には管継手５０が結合され、この管継手５０は床板１の上部で固定金具７０により継手部材６０に接続される。配管固定具Ａは床板１の貫通孔２周縁に固定され、床板１から立ち上がる通水管３及び管継手５０はこの配管固定具Ａにより覆われ、外部に露出しないものである。
【００１２】
前記通水管３は、ヘッダーから給水器具に対し水又は湯を供給するものであり、容易に折曲することのできる合成樹脂製の架橋ポリエチレン管，ポリブテン管等で形成され、上流側の先端は床板１の下部に配置されたヘッダーに接続され、下流側の先端は管継手５０を介して前記継手部材６０に接続されるものである。この通水管３は、床板１の貫通孔２から上部に向けて垂直方向に立ち上がり、床板１の上部で配管固定具Ａの上端から露出させるものである。
【００１３】
前記配管固定具Ａは、図１及び図２に示すように、床板１に穿設された貫通孔２周縁に固定され且つ通水管３を支持するための固定部材Ｂと、この固定部材Ｂに装着されるとともに通水管３の外周を覆う保護部材Ｃと、固定部材Ｂを覆い隠すための化粧カバーＤとを有し、固定部材Ｂに対する保護部材Ｃの取付位置を調節可能な調節手段を備えている。固定部材Ｂは、略円盤型の固定具１０と、この固定具１０の内部に収容され通水管３を支持するとともに床板１の下部への漏水を防止するためのパッキン２０と、パッキン２０の上部から固定具１０に対し螺合して結合される締付リング３０と、から構成されている。また、保護部材Ｃは固定部材Ｂに装着され、通水管３の外周を覆うための調整リング４０から構成されている。
【００１４】
前記固定具１０は略円盤型で、床板１の上面に配設され、上下に貫通する第１挿通孔１３が設けられたフランジ部１１と、このフランジ部１１から下方へ突出し床板１の貫通孔２内に挿通される環状の下側突部１４と、フランジ部１１から上方へ突出し下側突部１４よりやや大径である環状の上側突部１５とが形成されている。また固定具１０の内周には、前記パッキン２０を収容するための収容室１６が形成され、収容室１６の上方には第１雌ねじ１７が形成されている。この固定具１０は、シール用のパッキン１８をフランジ部１１の下側に配置させた後に、下側突部１４を貫通孔２に挿入させた状態で、フランジ部１１に穿設されたビス孔１２に対し、床板１の上部からビス４を螺着することで床板１に固定される。
【００１５】
前記パッキン２０は例えばゴム等の弾性体からなり、中心に第２挿通孔２１が設けられた円盤型で、第２挿通孔２１の内周縁から外周縁に向けてスリット２２が形成されている。このパッキン２０は、固定具１０の収容室１６に収容された後、締付リング３０が第１雌ねじ１７に螺合されることで、固定具１０に対し水密的に密着される。この状態で、第２挿通孔２１に通水管３が挿通されると、パッキン２０は通水管３の外周面に対し押圧されることで水密的に密着し、例えば通水管３と管継手５０との間で漏水が発生し水滴がパッキン２０まで落下しても、水滴はパッキン２０で堰き止められ、パッキン２０より下部に落下することがなく、床板１の下部へ水が侵入しないようにしている。
【００１６】
前記締付リング３０は直径の異なる円筒体を結合した形状で、小径の小径筒部３１と、小径筒部３１より大径である大径筒部３３とから構成され、中心には上下に貫通する第３挿通孔３６が形成されている。小径筒部３１の外周には前記固定具１０の第１雌ねじ１７に螺合する第１雄ねじ３２が形成されている。また、大径筒部３３の外周には、スパナ等の工具を係止可能な工具係止部３４が形成されるとともに、調整リング４０に螺合される第２雄ねじ３５が形成されている。
【００１７】
保護部材Ｃである前記調整リング４０は円筒形状で、その下部内周面には前記締付リング３０の第２雄ねじ３５と螺合する第２雌ねじ４１が形成されている。また、調整リング４０と締付リング３０とは、互いに形成されたねじ３５，４１を螺合された状態から調整リング４０を回転させることにより、その取付位置を容易に上下に調節可能な構成となっており、この取付位置の調節により管継手５０及び通水管３を覆い隠すものである。なお、この調整リング４０にはメッキや着色等の装飾が施されている。
【００１８】
前記化粧カバーＤは下部側の円筒部Ｄ１と上部側の傾斜部Ｄ２とからなり、その中心には上下に貫通する挿通孔Ｄ３が形成されるとともに、内部には中空状の収容室Ｄ４が形成されている。円筒部Ｄ１は前記固定具１０のフランジ部１１を覆うことができる外径を有する円筒形状であり、傾斜部Ｄ２は円筒部Ｄ１の上端から上方に向かうにしたがって小径となる円筒形状で、挿通孔Ｄ３は前記調整リング４０が挿通可能な直径を有している。また収容室Ｄ４は、前記固定具１０を覆い隠すことができる形状に形成されている。なお、この化粧カバーＤは前記調整リング４０と同様、メッキや着色等の装飾が施されている。
【００１９】
前記管継手５０は通水管３の先端が接続される略円筒状の本体部５１と、この本体部５１に螺着されるナット５６と、このナット５６の先端に設けられ、本体部５１とナット５６との間に挿入され通水管３を保持するための抜け止め具５７とを備えている。
【００２０】
前記管継手５０の本体部５１は略円筒状で、上部先端にはフランジ５２と、このフランジ５２より先端の嵌合部５３とが一体に形成され、嵌合部５３はその外周面に複数個の環状溝５４，５４が形成されており、この環状溝５４，５４にはシール用のシール部材５５，５５がそれぞれ装着されている。
【００２１】
前記継手部材６０はハンドル６１を回転操作することで止水弁６２を移動させ、通水管３から給水器具へ供給される水又は湯の止水，通水及び流量調節を可能としたものであり、一端に開口した入口部６３の先端には、固定金具７０を装着するためのフランジ６４が環状に形成され、このフランジ６４は前記管継手５０のフランジ５２と同径で、上下に重なり合うものである。なお、本実施例の継手部材は内部に止水弁を収容しているが、止水弁に限らず逆止弁，ストレーナ，圧力調整弁，水撃防止弁等の機能部品を収容してもよい。
【００２２】
前記固定金具７０は、管継手５０と継手部材６０とをワンタッチで接続可能とするもので、弾性力を有する１枚の金属板を折曲して形成したもので、基部７１の両端から外側へ略く字型に膨出させた係止部７２，７２と、係止部７２，７２の先端で外側へ略ハ字型に開いた脚部７３，７３とを設け、この両脚部７３，７３の間に管継手５０の嵌合部５３と継手部材６０の端部が挿通する挿通部７４が形成されている。前記基部７１から脚部７３，７３にかけて、前記管継手５０と継手部材６０との両フランジ５２，６４を重ね合わせた厚みに対応する上下幅で、両フランジ５２，６４を弾性的に嵌入可能な横長のスリット７５が開口し、この固定金具７０は、前記基部７１を支点として拡開，縮径方向に弾性変形可能である。なお、固定金具の材質としては、弾性力を有する金属板が好ましいが、合成樹脂材であってもよい。
【００２３】
前記カバー８０は管継手５０と継手部材６０とを接続する固定金具７０を覆うとともに、継手部材６０及び固定金具７０の安定した装着状態を保持するものであり、半円筒型で同一形状の第１カバー部８１と第２カバー部８２とからなり、互いのカバー部８１，８２は左右から向かい合わせて結合させることができる。各カバー部８１，８２の内周面には、固定金具７０の基部７１，係止部７２，脚部７３を保持する保持部８３が環状に形成されている。ここで、管継手５０と継手部材６０とを接続するための固定金具７０は多種類存在するが、固定金具７０はどの製品であっても外観形状は共通している。そこで、固定金具７０の外観形状に合わせてカバー８０の内周面に保持部８３を形成することで、カバー８０の内部に固定金具７０を安定した状態で保持することができる。なお、カバー８０の外径は、調整リング４０の外周面よりやや大径で、調整リング４０の上端に、カバー８０の下部に形成された溝８４を嵌合させれば、カバー８０を固定することができる。
【００２４】
以下に、通水管３を床板１の下部から貫通孔２に挿通して床板１の上部に配置された継手部材６０に接続する手順について説明する。
まず固定金具Ｂを床板１に固定するが、固定具１０の収容室１６に予めパッキン２０を収容した後、締付リング３０の第１雄ねじ３２を固定具１０の第１雌ねじ１７に螺合させ、パッキン２０を固定具１０及び締付リング３０に対し水密的に密着させた状態とし、固定部材Ｂを組み立てておく。
【００２５】
次に通水管３を床板１の下部から貫通孔２に挿通して床板１の上部に立ち上げた後、固定部材Ｂの各挿通孔、すなわち固定具１０，パッキン２０，締付リング３０の各挿通孔１３，２１，３６に通水管３を挿通させ、パッキン２０が通水管３の外周面に対し水密的に密着した状態にする。そして、ビス４により固定部材Ｂを床板１に固定した後、通水管３の先端に管継手５０を接続する。このとき管継手５０に設けられた抜け止め具５７により、通水管３と管継手５０とは容易に外れないように接続される。
【００２６】
次に図３に示すように、保護部材Ｃである調整リング４０の第２雌ねじ４１を固定部材Ｂの締付リング３０の第２雄ねじ３５に螺合するとともに、固定部材Ｂが収容室Ｄ４に収容されるように化粧カバーＤを取り付ける。
【００２７】
次に、継手部材６０の入口部６３に対して管継手５０の嵌合部５３を挿入し、管継手５０と継手部材６０の各フランジ５２，６４が互いに重なり合うようにする。この両フランジ５２，６４に対し固定金具７０のスリット７５を嵌入させることにより、管継手５０と継手部材６０とをワンタッチで接続する。その後、固定金具７０に対してカバー８０を装着する。このとき、固定金具７０の基部７１，両係止部７２，７２，両脚部７３，７３は、カバー８０の保持部８３に弾力的に保持され、振動することがない。
【００２８】
そして、図４に示すように、継手部材６０を所定の取付位置に配置する。その後、継手部材６０の取付位置に応じて保護部材Ｂである調整リング４０を回転させて、その上端面をカバー８０の溝８４に嵌合させることにより、継手部材６０を固定部材Ｂに取り付ける。
【００２９】
このように、本発明の配管固定具は、継手部材の取付位置に応じて保護部材である調整リングを容易に上下に移動させることができ、管継手や通水管が露出することがない。また、保護部材は床板の上部に設けられているので、床板の下部の空間に影響されることなく保護部材の取付位置の調節が行うことができる。なお、本実施例では、配管固定具は平らな床板に取り付ける例を基に説明したがこれに限定されることはなく、例えば壁面や傾斜面等に取り付けられても良い。
【図面の簡単な説明】
【００３０】
【図１】本発明の配管固定具を床板に取り付けた状態を示す説明図である。
【図２】配管固定具，通水管，管継手，継手部材の関係を示す分解斜視図である。
【図３】配管固定具において、保護部材及び化粧カバーを取り付ける状態を示す説明図である。
【図４】保護部材の取付位置を調節する前の状態を示す説明図である。
【符号の説明】
【００３１】
１    ：床板
２    ：貫通孔
３    ：通水管
３０  ：締付リング
３３  ：大径筒部
３５  ：第２雄ねじ
４０  ：調整リング
４１  ：第２雌ねじ
６０  ：継手部材
Ａ    ：配管固定具
Ｂ    ：固定部材
Ｃ    ：保護部材
【図１】
2006275073.tif 000003
【図２】
2006275073.tif 000004
【図３】
2006275073.tif 000005
【図４】
2006275073.tif 000006